(57)【要約】【課題】ハンドオーバ失敗後において、元の状態に戻る動作の問題を解決することができる無線リソース設定方法及び設定装置を提供すること。【解決手段】本発明は、ハンドオーバ時における無線リソース設定方法及び設定装置を提供する。当該方法は、基地局が、無線リソース設定パラメータを含むハンドオーバコマンドを端末（ＵＥ）に送信するステップと、前記ＵＥが、前記ハンドオーバコマンドを受信した後、前記無線リソース設定パラメータにおける直接有効にすることが可能な無線リソース設定パラメータを設定して有効にさせるステップと、前記ＵＥが、ハンドオーバランダムアクセスを開始した後、アクセスに失敗したと判定した場合、前記無線リソース設定パラメータにおける直接有効にすることが不可能な無線リソース設定パラメータを破棄するステップとを含む。【選択図】図３
2013523030.tif 000002
【特許請求の範囲】
【請求項１】
ハンドオーバ時における無線リソース設定方法であって、
基地局が、無線リソース設定パラメータを含むハンドオーバコマンドを端末（ＵＥ：Ｕｓｅｒ  Ｅｑｕｉｐｍｅｎｔ）に送信するステップと、
前記ＵＥが、前記ハンドオーバコマンドを受信した後、前記無線リソース設定パラメータにおける直接有効にすることが可能な無線リソース設定パラメータを設定して有効にさせるステップと、
前記ＵＥが、ハンドオーバランダムアクセスを開始した後、ハンドオーバランダムアクセスに失敗したと判定した場合、前記無線リソース設定パラメータにおける直接有効にすることが不可能な無線リソース設定パラメータを破棄するステップと
を含むことを特徴とする無線リソース設定方法。
【請求項２】
前記ＵＥが、ハンドオーバランダムアクセスを開始した後、ハンドオーバランダムアクセスに成功したと判定した場合、前記無線リソース設定パラメータにおける直接有効にすることが不可能な無線リソース設定パラメータを設定して有効にさせ、ハンドオーバ確認メッセージを前記基地局に送信するステップを更に含む
ことを特徴とする請求項１に記載の方法。
【請求項３】
前記直接有効にすることが可能な無線リソース設定パラメータは、
共通無線リソース設定及び専用無線リソース設定における、シグナル無線ベアラ（ＳＲＢ：Ｓｉｇｎａｌｉｎｇ  Ｒａｄｉｏ  Ｂｅａｒｅｒ）、専用物理層設定（ｐｈｙｓｉｃａｌ  Ｃｏｎｆｉｇ  Ｄｅｄｉｃａｔｅｄ）、ＭＡＣ設定（ｍａｃ−Ｍａｉｎ  Ｃｏｎｆｉｇ）、半永続スケジューリング設定（ｓｐｓ−Ｃｏｎｆｉｇ）のうちの少なくとも１つを含む
ことを特徴とする請求項１に記載の方法。
【請求項４】
前記直接有効にすることが不可能な無線リソース設定パラメータは、
データ用無線ベアラ（ＤＲＢ：Ｄａｔａ  Ｒａｄｉｏ  Ｂｅａｒｅｒ）設定、測定間隔（ＧＡＰ）設定、チャネル品質インジケータ（ＣＱＩ：Ｃｈａｎｎｅｌ  Ｑｕａｌｉｔｙ  Ｉｎｄｉｃａｔｏｒ）設定、スケジューリング要求（ＳＲ：Ｓｃｈｅｄｕｌｉｎｇ  Ｒｅｑｕｅｓｔ）設定及びサウンディング参照シンボル（ＳＲＳ：Ｓｏｕｎｄｉｎｇ  Ｒｅｆｅｒｅｎｃｅ  Ｓｙｍｂｏｌ）設定のうちの少なくとも１つを含む
ことを特徴とする請求項１に記載の方法。
【請求項５】
前記ＵＥが直接有効にすることが不可能な無線リソース設定パラメータを破棄した後、
前記ＵＥが、接続を回復するために、ハンドオーバの失敗によってトリガーされる無線リソース制御（ＲＲＣ：Ｒａｄｉｏ  Ｒｅｓｏｕｒｃｅ  Ｃｏｎｔｒｏｌ）プロトコル再確立プロセスを開始するステップを更に含む
ことを特徴とする請求項１に記載の方法。
【請求項６】
受信ユニットと制御ユニットとを含む、ハンドオーバ時における無線リソース設定装置であって、
前記受信ユニットは、基地局が送信した、無線リソース設定パラメータを含むハンドオーバコマンドを受信して、前記制御ユニットに送信し、
前記制御ユニットは、受信した前記無線リソース設定パラメータにおける直接有効にすることが可能な無線リソース設定パラメータを設定して有効にさせ、且つ、ハンドオーバランダムアクセスを開始した後、ハンドオーバアクセスに失敗したと判定した場合、前記無線リソース設定パラメータにおける直接有効にすることが不可能な無線リソース設定パラメータを破棄する
ことを特徴とする無線リソース設定装置。
【請求項７】
前記制御ユニットは、更に、ハンドオーバランダムアクセスを開始した後、ハンドオーバランダムアクセスに成功したと判定した場合、前記無線リソース設定パラメータにおける直接有効にすることが不可能な無線リソース設定パラメータを設定して有効にさせ、ハンドオーバ確認メッセージを前記基地局に送信する
ことを特徴とする請求項６に記載の装置。
【請求項８】
前記制御ユニットにより設定される前記直接有効にすることが可能な無線リソース設定パラメータは、共通無線リソース設定及び専用無線リソース設定における、シグナル無線ベアラ（ＳＲＢ：Ｓｉｇｎａｌｉｎｇ  Ｒａｄｉｏ  Ｂｅａｒｅｒ）、専用物理層設定（ｐｈｙｓｉｃａｌ  Ｃｏｎｆｉｇ  Ｄｅｄｉｃａｔｅｄ）、ＭＡＣ設定（ｍａｃ−Ｍａｉｎ  Ｃｏｎｆｉｇ）、半永続スケジューリング設定（ｓｐｓ−Ｃｏｎｆｉｇ）のうちの少なくとも１つを含む
ことを特徴とする請求項６に記載の装置。
【請求項９】
前記制御ユニットにより設定される前記直接有効にすることが不可能な無線リソース設定パラメータは、データ用無線ベアラ（ＤＲＢ：Ｄａｔａ  Ｒａｄｉｏ  Ｂｅａｒｅｒ）設定、測定間隔（ＧＡＰ）設定、チャネル品質インジケータ（ＣＱＩ：Ｃｈａｎｎｅｌ  Ｑｕａｌｉｔｙ  Ｉｎｄｉｃａｔｏｒ）設定、スケジューリング要求（ＳＲ：Ｓｃｈｅｄｕｌｉｎｇ  Ｒｅｑｕｅｓｔ）設定及びサウンディング参照シンボル（ＳＲＳ：Ｓｏｕｎｄｉｎｇ  Ｒｅｆｅｒｅｎｃｅ  Ｓｙｍｂｏｌ）設定のうちの少なくとも１つを含む
ことを特徴とする請求項６に記載の装置。
【請求項１０】
前記制御ユニットは、更に、直接有効にすることが不可能な無線リソース設定パラメータを破棄した後、接続を回復するために、ハンドオーバの失敗によってトリガーされる無線リソース制御（ＲＲＣ：Ｒａｄｉｏ  Ｒｅｓｏｕｒｃｅ  Ｃｏｎｔｒｏｌ）プロトコル再確立プロセスを開始する
ことを特徴とする請求項６に記載の装置。
【発明の詳細な説明】
【技術分野】
【０００１】
本発明は、通信におけるハンドオーバ技術に関し、特に、ハンドオーバ時における無線リソース設定方法及び設定装置に関する。
【背景技術】
【０００２】
ハンドオーバは、異なる基準に応じて、多くの種類に分類することが可能である。例えば、ハンドオーバは、ネットワーク構築方式に応じて、同一周波数間ハンドオーバと異周波数間ハンドオーバとに分類することが可能であり、また、トリガー原因に応じて、負荷に基づくハンドオーバ、カバレッジに基づくハンドオーバ、サービスに基づくハンドオーバ及び端末（ＵＥ：Ｕｓｅｒ  Ｅｑｕｉｐｍｅｎｔ）移動速度に基づくハンドオーバに分類することが可能である。また、ハンドオーバは、ネットワークトポロジー構造に応じて、基地局（ｅＮＢ：ｅｖｏｌｖｅｄ  ＮｏｄｅＢ）内におけるハンドオーバ、同一モビリティ管理エンティティ（ＭＭＥ：Ｍｏｂｉｌｉｔｙ  Ｍａｎａｇｅｍｅｎｔ  Ｅｎｔｉｔｙ）内における異なるｅＮＢ間のハンドオーバ及び異なるＭＭＥにおける異なるｅＮＢ間のハンドオーバに分類することが可能である。一方、ＵＥでは、ハンドオーバは、専用プリアンブルが存在するかどうかに応じて、競合的なハンドオーバと非競合的なハンドオーバとに分類される。現在、競合的なハンドオーバ及び非競合的なハンドオーバは、ハンドオーバ時における無線リソース設定プロセスが同じとされている。
【０００３】
現在、ハンドオーバ時における無線リソース設定は、共通無線リソース設定と専用無線リソース設定との２種類に分類される。専用無線リソース設定は、更に３種類に分類される。第１のタイプは、ハンドオーバに成功した後に無線リソース設定が有効になるタイプであり、データ用無線ベアラ（ＤＲＢ：Ｄａｔａ  Ｒａｄｉｏ  Ｂｅａｒｅｒ）設定、測定間隔（ＧＡＰ）設定、チャネル品質インジケータ（ＣＱＩ：Ｃｈａｎｎｅｌ  Ｑｕａｌｉｔｙ  Ｉｎｄｉｃａｔｉｏｎ）設定、スケジューリング要求（ＳＲ：Ｓｃｈｅｄｕｌｉｎｇ  Ｒｅｑｕｅｓｔ）設定及びサウンディング参照シンボル（ＳＲＳ：Ｓｏｕｎｄｉｎｇ  Ｒｅｆｅｒｅｎｃｅ  Ｓｙｍｂｏｌ）設定は、いずれも第１のタイプに属する。第２のタイプは、専用物理層設定（ｐｈｙｓｉｃａｌ  Ｃｏｎｆｉｇ  Ｄｅｄｉｃａｔｅｄ）、ＭＡＣ設定（ｍａｃ−Ｍａｉｎ  Ｃｏｎｆｉｇ）及び半永続スケジューリング設定（ｓｐｓ−Ｃｏｎｆｉｇ）の３つの設定を含み、これらは、直ちに有効になる。第３のタイプは、第１のタイプ及び第２のタイプ以外のほかの専用無線リソース設定であり、主に、シグナル無線ベアラ（ＳＲＢ：Ｓｉｇｎａｌｉｎｇ  Ｒａｄｉｏ  Ｂｅａｒｅｒ）の修正、並びに、ＤＲＢの新規増加及び修正であり、これらは、直ちに有効になる。共通無線リソース設定、並びに、上述の第２のタイプ及び第３のタイプの専用無線リソース設定は、直ちに有効になるが、第１のタイプの専用無線リソース設定は、ハンドオーバに成功した後に有効になる。
【０００４】
図１は、従来技術におけるＵＥに対するハンドオーバに成功したときの無線リソース設定処理のフローチャートである。図２は、従来技術におけるＵＥに対するハンドオーバに失敗したときの無線リソース設定処理のフローチャートである。図１及び図２から理解されるように、現在のプロトコルでは、ハンドオーバが実行されるときの無線リソース処理プロセスは、ハンドオーバに失敗した場合に、第３のタイプの専用無線リソース設定を、ソースセル設定に戻す必要がある。
【０００５】
現在のプロトコルにおいて、ハンドオーバに失敗した後に、元の状態に戻す必要があるかどうかに応じて、ハンドオーバ時における無線リソース設定を、元の状態に戻す必要がない設定と、元の状態に戻す必要がある設定とに分類することが可能である。元の状態に戻す必要がない設定は、共通無線リソース設定、並びに、第１のタイプ及び第２のタイプの専用無線リソース設定である。元の状態に戻す必要がある設定は、第３のタイプの専用無線リソース設定である。
【０００６】
上記のように、ハンドオーバに失敗した場合、第３のタイプの専用無線リソース設定に対する動作が余計なものとなる。ハンドオーバ前と、ハンドオーバ後とで、２回の設定を行う必要があり、このようにして、設定がハンドオーバ前の設定に戻される。これにより、システムリソースが浪費され、サービスの中断時間が長くなる。なお、第３のタイプの専用設定は、ＳＲＢ（ＳＲＢ０を含まず）の修正、並びにＤＲＢの新規増加及び修正設定である。しかしながら、ハンドオーバランダムアクセス（ＲＡ）が成功する前においては、これらの設定は、利用されていない。ハンドオーバが失敗した場合、ハンドオーバ前における第３のタイプの専用設定に対する動作は、無意味なものとなってしまう。
【発明の概要】
【発明が解決しようとする課題】
【０００７】
本発明の解決しようとする技術的課題は、現在のハンドオーバにおいて、ハンドオーバ失敗後における元の状態へ戻す動作の問題を解決し、サービス中断時間を短縮し、システム・オーバーヘッドを節約し、システムリソースの利用率とシステムの安定性を向上させることができ、且つ、強い操作性及び実用性を備える、ハンドオーバ時における無線リソース設定方法及び設定装置を提供することにある。
【課題を解決するための手段】
【０００８】
前記課題を解決するために、本発明は、ハンドオーバ時における無線リソース設定方法を提供する。
当該方法は、
基地局が、無線リソース設定パラメータを含むハンドオーバコマンドを端末（ＵＥ）に送信するステップと、
前記ＵＥが、前記ハンドオーバコマンドを受信した後、前記無線リソース設定パラメータにおける直接有効にすることが可能な無線リソース設定パラメータを設定して有効にさせるステップと、
前記ＵＥが、ハンドオーバランダムアクセスを開始した後、ハンドオーバランダムアクセスに失敗したと判定した場合、前記無線リソース設定パラメータにおける直接有効にすることが不可能な無線リソース設定パラメータを破棄するステップとを含む。
【０００９】
前記方法は、前記ＵＥが、ハンドオーバランダムアクセスを開始した後、アクセスに成功したと判定した場合、前記無線リソース設定パラメータにおける直接有効にすることが不可能な無線リソース設定パラメータを設定して有効にさせ、ハンドオーバ確認メッセージを前記基地局に送信するステップを更に含む。
【００１０】
更に、前記直接有効にすることが可能な無線リソース設定パラメータは、共通無線リソース設定及び専用無線リソース設定における、シグナル無線ベアラ（ＳＲＢ）、専用物理層設定（ｐｈｙｓｉｃａｌ  Ｃｏｎｆｉｇ  Ｄｅｄｉｃａｔｅｄ）、ＭＡＣ設定（ｍａｃ−Ｍａｉｎ  Ｃｏｎｆｉｇ）及び半永続スケジューリング設定（ｓｐｓ−Ｃｏｎｆｉｇ）のうちの少なくとも１つを含む。
【００１１】
更に、前記直接有効にすることが不可能な無線リソース設定パラメータは、データ用無線ベアラ（ＤＲＢ）設定、測定間隔（ＧＡＰ）設定、チャネル品質インジケータ（ＣＱＩ）設定、スケジューリング要求（ＳＲ）設定及びサウンディング参照シンボル（ＳＲＳ）設定のうちの少なくとも１つを含む。
【００１２】
前記ＵＥが直接有効にすることが不可能な無線リソース設定パラメータを破棄した後、
当該方法は、前記ＵＥが、接続を回復するために、ハンドオーバの失敗によってトリガーされる無線リソース制御（ＲＲＣ）プロトコル再確立プロセスを開始することを更に含む。
【００１３】
本発明は、ハンドオーバ時における無線リソース設定装置も提供する。この無線リソース設定装置は、受信ユニットと制御ユニットとを含む。
前記受信ユニットは、基地局が送信した、無線リソース設定パラメータを含むハンドオーバコマンドを受信して、前記制御ユニットに送信する。
前記制御ユニットは、受信した前記無線リソース設定パラメータにおける直接有効にすることが可能な無線リソース設定パラメータを設定して有効にさせ、且つ、ハンドオーバランダムアクセスを開始した後、ハンドオーバランダムアクセスに失敗したと判定した場合、前記無線リソース設定パラメータにおける直接有効にすることが不可能な無線リソース設定パラメータを破棄する。
【００１４】
前記制御ユニットは、更に、ハンドオーバランダムアクセスを開始した後、ハンドオーバランダムアクセスに成功したと判定した場合、前記無線リソース設定パラメータにおける直接有効にすることが不可能な無線リソース設定パラメータを設定して有効にさせ、ハンドオーバ確認メッセージを前記基地局に送信する。
【００１５】
更に、前記制御ユニットにより設定される前記直接有効にすることが可能な無線リソース設定パラメータは、共通無線リソース設定及び専用無線リソース設定における、シグナル無線ベアラ（ＳＲＢ）、専用物理層設定（ｐｈｙｓｉｃａｌ  Ｃｏｎｆｉｇ  Ｄｅｄｉｃａｔｅｄ）、ＭＡＣ設定（ｍａｃ−Ｍａｉｎ  Ｃｏｎｆｉｇ）及び半永続スケジューリング設定（ｓｐｓ−Ｃｏｎｆｉｇ）のうちの少なくとも１つを含む。
【００１６】
更に、前記制御ユニットにより設定される前記直接有効にすることが不可能な無線リソース設定パラメータは、データ用無線ベアラ（ＤＲＢ）設定、測定間隔（ＧＡＰ）設定、チャネル品質インジケータ（ＣＱＩ）設定、スケジューリング要求（ＳＲ）設定及びサウンディング参照シンボル（ＳＲＳ）設定のうちの少なくとも１つを含む。
【００１７】
前記制御ユニットは、更に、直接有効にすることが不可能な無線リソース設定パラメータを破棄した後、接続を回復するために、ハンドオーバの失敗によってトリガーされる無線リソース制御（ＲＲＣ）プロトコル再確立プロセスを開始する。
【発明の効果】
【００１８】
従来技術と比べて、本発明を適用することで、現在のハンドオーバにおける、ハンドオーバ失敗後における元の状態へ戻す動作の問題を解決することができ、また、サービス中断時間を短縮し、システム・オーバーヘッドを節約することができる。また、システムリソースの利用率及びシステムの安定性を向上させることができ、強い操作性及び実用性が提供される。
【図面の簡単な説明】
【００１９】
【図１】従来技術においてＵＥに対するハンドオーバに成功したときの無線リソース設定処理のフローチャートである。
【図２】従来技術においてＵＥに対するハンドオーバに失敗したときの無線リソース設定処理のフローチャートである
【図３】本発明においてＵＥに対するハンドオーバに成功したときの無線リソース設定処理のフローチャートである。
【図４】本発明においてＵＥに対するハンドオーバに失敗したときの無線リソース設定処理のフローチャートである。
【図５】本発明に係るハンドオーバ時における無線リソース設定装置の構造模式図である。
【発明を実施するための形態】
【００２０】
以下、図面及び具体的な実施形態を参照して本発明をより詳しく説明する。
【００２１】
本発明の主な着想は、以下の様なものである。すなわち、ハンドオーバコマンドに含まれる無線リソース設定パラメータを、直接有効にすることが可能な無線リソース設定パラメータと、直接有効にすることが不可能な無線リソース設定パラメータとの２種類に分類する。直接有効にすることが可能な無線リソースは、共通無線リソース設定及び専用無線リソース設定における、シグナル無線ベアラ（ＳＲＢ）、専用物理層設定（ｐｈｙｓｉｃａｌ  Ｃｏｎｆｉｇ  Ｄｅｄｉｃａｔｅｄ）、ＭＡＣ設定（ｍａｃ−Ｍａｉｎ  Ｃｏｎｆｉｇ）及び半永続性スケジューリング設定（ｓｐｓ−Ｃｏｎｆｉｇ）のうちの少なくとも１つを含む。直接有効にすることが不可能な無線リソース設定パラメータは、データ用無線ベアラ（ＤＲＢ）設定、測定間隔（ＧＡＰ）設定、チャネル品質インジケータ（ＣＱＩ）設定、スケジューリング要求（ＳＲ）設定及びサウンディング参照シンボル（ＳＲＳ）設定のうちの少なくとも１つを含む。直接有効にすることが可能な無線リソース設定は、ハンドオーバコマンドを受信した後に直ちに有効にされる。一方で、直接有効にすることが不可能な無線リソース設定は、ハンドオーバに成功した後に有効にされ、ハンドオーバに失敗した後に自動的に破棄される。これにより、ハンドオーバ失敗後における元の状態に戻す動作を回避することができ、サービス中断時間を短縮し、システム・オーバーヘッドを節約することができる。
【００２２】
本発明において、シグナル無線ベアラ（ＳＲＢ）も直接有効にすることが可能な無線リソース設定に分類される。ハンドオーバランダムアクセス（ＲＡ）に成功した後、ＳＲＢ１において、ＲＲＣ接続再設定完了（Ｃｏｎｎｅｃｔｉｏｎ  Ｒｅｃｏｎｆｉｇｕｒａｔｉｏｎ  Ｃｏｍｐｌｅｔｅ）メッセージを送信する必要がある。一方で、ハンドオーバに失敗した場合には、ＲＲＣ再確立プロセスを自動的にトリガーし、ＳＲＢ１に対して再設定を行うことになる。従って、直接有効にすることが可能な無線リソース設定にＳＲＢを分類しても、影響はない。
【００２３】
本発明の一実施形態に係る方法では、ネットワーク側によって開始されたハンドオーバコマンドをＵＥが実行するときに無線リソース設定に対する処理が実行される。この実施形態は、ハンドオーバに成功したときの実施形態及びハンドオーバに失敗したときの実施形態に分類される。
【００２４】
ハンドオーバ時において、ＵＥにより実行される、無線リソース設定に関係がないほかの動作、例えばターゲットセルへの同期などは、本発明の説明範囲には含まれない。
【００２５】
図３は、本発明においてＵＥに対するハンドオーバに成功したときの無線リソース設定処理のフローチャートである。図３に示されるように、このプロセスは、下記のようなステップを含む。
【００２６】
ステップ３０１：基地局が、無線リソース設定パラメータを含むハンドオーバコマンドを端末（ＵＥ）に送信する。
【００２７】
ステップ３０２：ＵＥは、ハンドオーバコマンドを受信した後、無線リソース設定パラメータにおける直接有効にすることが可能な無線リソース設定パラメータを対応するモジュールに直接的に設定し、そして、それらを直ちに有効にさせる。
【００２８】
直接有効にすることが可能な無線リソース設定パラメータは、共通無線リソース設定及び専用無線リソース設定における、ＳＲＢ、ｐｈｙｓｉｃａｌ  Ｃｏｎｆｉｇ  Ｄｅｄｉｃａｔｅｄ、ｍａｃ−Ｍａｉｎ  Ｃｏｎｆｉｇ及びｓｐｓ−Ｃｏｎｆｉｇ設定等のうちの少なくとも１つを含む。
【００２９】
ステップ３０３：ＵＥは、ハンドオーバランダムアクセスを開始し、アクセスに成功したと判定する。
【００３０】
ステップ３０４：ＵＥは、ハンドオーバ確認メッセージを基地局に送信し、ハンドオーバに成功したことを確認する。
【００３１】
ステップ３０５：ＵＥは、ＤＲＢ、ＧＡＰ、ＣＱＩ、ＳＲ及びＳＲＳ設定等を含む、前記無線リソース設定パラメータにおける直接有効にすることが不可能な無線リソース設定パラメータを直ちに設定して有効にさせる。
【００３２】
図４は、本発明においてＵＥに対するハンドオーバに失敗したときの無線リソース設定処理のフローチャートである。図４に示されるように、ハンドオーバに失敗したときの実施形態は、下記のようなステップを含む。
【００３３】
ステップ４０１：基地局が、無線リソース設定パラメータを含むハンドオーバコマンドを端末（ＵＥ）に送信する。
【００３４】
ステップ４０２：ＵＥは、ハンドオーバコマンドを受信した後、無線リソース設定パラメータにおける直接有効にすることが可能な無線リソース設定パラメータを対応するモジュールに直接的に設定し、そして、それらを直ちに有効にさせる。
【００３５】
直接有効にすることが可能な無線リソース設定パラメータは、共通無線リソース設定及び専用無線リソース設定における、ＳＲＢ、ｐｈｙｓｉｃａｌ  Ｃｏｎｆｉｇ  Ｄｅｄｉｃａｔｅｄ、ｍａｃ−Ｍａｉｎ  Ｃｏｎｆｉｇ及びｓｐｓ−Ｃｏｎｆｉｇ設定等を含む。
【００３６】
ステップ４０３：ＵＥは、ハンドオーバランダムアクセスを開始し、ハンドオーバランダムアクセスに失敗したと判定する。
【００３７】
ステップ４０４：ＵＥは、ＤＲＢ、ＧＡＰ、ＣＱＩ、ＳＲ及びＳＲＳ等を含む、前記無線リソース設定パラメータにおける直接有効にすることが不可能な無線リソース設定パラメータを直接的に破棄する。
【００３８】
ステップ４０５：ＵＥは、接続を回復するために、ハンドオーバの失敗によってトリガーされたＲＲＣ再確立プロセスを開始する。このＲＲＣ再確立プロセスは、無線リソースに対する再設定処理をトリガーする。
【００３９】
従来技術と本発明の実施形態と比較すると、本発明の形態の優位性が顕著になる。従来技術において、ＵＥに対するハンドオーバに失敗したとき、接続を回復するために、第３のタイプの無線リソース設定パラメータ（ＳＲＢの修正、並びに、ＤＲＢの新規増加及び修正）が、ハンドオーバ前にソースセルによって送信された設定状態に戻され、その後、ハンドオーバの失敗によってトリガーされたＲＲＣ再確立プロセスが開始される。しかしながら、これらの元の状態に戻す必要がある設定は、ＵＥが設定を行って有効にした後に、まだ利用されていないため、ハンドオーバに失敗した場合、これらのパラメータに対する設定処理が余計なものとなる。従って、ハンドオーバ時のサービス中断時間が長くなるだけでなく、システムリソースが浪費されていた。
【００４０】
図４に示されるように、本発明の実施形態において、ハンドオーバ時の全ての無線リソース設定を、ハンドオーバに失敗した後に元の状態に戻す必要がない設定と、元の状態に戻す必要がある設定とに分類するような改良を行った。元の状態に戻す必要がない設定は、ハンドオーバ前に、全てリアルタイムに有効になり、元の状態に戻す必要がある設定は、ハンドオーバに成功した後、全て有効になる。これにより、ハンドオーバに失敗したとき、パラメータを元の状態に戻す動作の２倍の時間・空間リソースを節約することができ、システムリソースの利用率を向上させることができる。
【００４１】
本発明の前記ハンドオーバ時における無線リソース処理方法は、明細書及び実施形態に挙げられる上記適用例のみに限られず、本発明に適合する各分野に適用可能である。
【００４２】
図５は、本発明によるハンドオーバ時における無線リソース設定装置の構造模式図である。図５に示されるように、本発明のハンドオーバ時における無線リソース設定装置は、受信ユニットと制御ユニットとを含む。
【００４３】
前記受信ユニットは、基地局が送信した無線リソース設定パラメータを含むハンドオーバコマンドを受信して、前記制御ユニットに送信する。
【００４４】
前記制御ユニットは、受信した前記無線リソース設定パラメータにおける直接有効にすることが可能な無線リソース設定パラメータを設定して有効にさせる。そして、ハンドオーバランダムアクセスを開始した後、ハンドオーバランダムアクセスに失敗したと判定した場合、前記無線リソース設定パラメータにおける直接有効にすることが不可能な無線リソース設定パラメータを破棄する。
【００４５】
前記制御ユニットは、更に、ハンドオーバランダムアクセスを開始した後、ハンドオーバランダムアクセスに成功したと判定した場合、ハンドオーバ確認メッセージを前記基地局に送信する。また、前記無線リソース設定パラメータにおける直接有効にすることが不可能な無線リソース設定パラメータを設定して有効にさせる。
【００４６】
前記制御ユニットにより設定される前記直接有効にすることが可能な無線リソース設定パラメータは、共通無線リソース設定及び専用無線リソース設定における、ＳＲＢ、ｐｈｙｓｉｃａｌ  Ｃｏｎｆｉｇ  Ｄｅｄｉｃａｔｅｄ設定、ｍａｃ−Ｍａｉｎ  Ｃｏｎｆｉｇ及びｓｐｓ−Ｃｏｎｆｉｇ設定のうちの少なくとも１つを含む。
【００４７】
前記制御ユニットにより設定される前記直接有効にすることが不可能な無線リソース設定パラメータは、データ用無線ベアラ（ＤＲＢ）設定、測定間隔（ＧＡＰ）設定、チャネル品質インジケータ（ＣＱＩ）設定、スケジューリング要求（ＳＲ）設定、サウンディング参照シンボル（ＳＲＳ）設定のうちの少なくとも１つを含む。
【００４８】
前記制御ユニットは、更に、直接有効にすることが不可能な無線リソース設定パラメータを破棄した後、接続を回復するために、ハンドオーバの失敗によってトリガーされる無線リソース制御（ＲＲＣ）プロトコル再確立プロセスを開始する。
【００４９】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【図１】
2013523030.tif 000003
【図２】
2013523030.tif 000004
【図３】
2013523030.tif 000005
【図４】
2013523030.tif 000006
【図５】
2013523030.tif 000007
【国際調査報告】
2013523030.tif 000008
2013523030.tif 000009
2013523030.tif 000010
2013523030.tif 000011